(57)【特許請求の範囲】
【請求項１】
複数の回路基板を電気的に接続する複数のフレキシブルフラットケーブルの配線に用いられるシート状導体であって、
複数の部位が順に重なるように折り畳まれて、複数の前記フレキシブルフラットケーブルを、それぞれ前記部位を介在させて保持した状態で接地される
シート状導体。
【請求項２】
複数の前記部位が順に重なるように折り畳まれて、複数の前記フレキシブルフラットケーブルを保持した状態に結束する結束部
を具える請求項１に記載のシート状導体。
【請求項３】
前記結束部は、
所定の前記部位に設けられた
請求項２に記載のシート状導体。
【請求項４】
所定の前記部位に設けられ、接地用に導電性金属のシャーシに係止されるシャーシ係止部
を具える請求項１乃至請求項３の何れかに記載のシート状導体。
【請求項５】
所定の端部に設けられ、当該端部よりも幅広な表面全体が導電性金属のシャーシの一面に接触される接地部
を具える請求項１乃至請求項４の何れかに記載のシート状導体。
【請求項６】
前記複数の部位として、互いに平行な４つの第１乃至第４部位
を具え、
前記第１乃至第４部位は、
順に重なるようにＷ字状に折り畳まれることにより３つの部位重ね箇所を形成して、当該３つの前記部位重ね箇所に３本の前記フレキシブルフラットケーブルを個別に挟み込むようにして保持する
請求項１乃至請求項５の何れかに記載のシート状導体。
【請求項７】
前記第１乃至第４部位は、
第１乃至第４部位一端側が順に重なるようにＷ字状に折り畳まれることにより３つの前記部位重ね箇所を形成して、当該３つの前記部位重ね箇所に３本の前記フレキシブルフラットケーブルのケーブル一端側を個別に挟み込むようにして保持すると共に、第１及び第４部位他端部に前記第２及び第３部位の第２及び第３部位一端側から分離された第２及び第３部位他端部が設けられ、前記第１及び第４部位他端部が前記第１乃至第４部位一端側に対して折り曲げられた後、前記第１及び第４部位他端部と前記第２及び第３部位他端部とがそれぞれＶ字状に折り畳まれ、かつ前記第１乃至第４部位他端部が順に重なるように折り畳まれることにより、前記第１及び前記第２部位他端部の間、前記第２及び第３部位他端部の間及び前記第３及び第４部位他端部の間に３本の前記フレキシブルフラットケーブルのケーブル他端部を個別に挟み込むようにして保持する
請求項６に記載のシート状導体。
【請求項８】
複数の回路基板と、
複数のフレキシブルフラットケーブルと、
接地用の導電性金属のシャーシと、
請求項１乃至請求項７の何れかに記載の前記シート状導体と
を具える画像形成装置。
【発明の詳細な説明】
【技術分野】
【０００１】
本発明はシート状導体及び画像形成装置に関し、例えば、モノクロ電子写真方式のプリンタに適用して好適なものである。
【背景技術】
【０００２】
従来のプリンタは、内部に、各種機能を実行するための複数の回路基板が設けられ、これら複数の回路基板が複数のケーブルを介して電気的に接続されていた。そして複数の回路基板の接続には、平行に並べられた複数本の導体を、一対の帯状の絶縁層により挟み込むように被覆して形成された複数のフレキシブルフラットケーブルが用いられていた（例えば、特許文献１参照）。
【先行技術文献】
【特許文献】
【０００３】
【特許文献１】特開２００６−３２００３公報（第６頁、図１）
【発明の概要】
【発明が解決しようとする課題】
【０００４】
ところが、従来のプリンタでは、複数の回路基板の配置位置やフレキシブルフラットケーブルの配置箇所の省スペース化等に伴い、これら複数の回路基板の間で複数のフレキシブルフラットケーブルが重ねた状態で配線されていると、何れかのフレキシブルフラットケーブルに流れる信号に、他のフレキシブルフラットケーブルから漏れ出た信号の高周波成分（以下、これを信号高周波成分とも呼ぶ）が重畳されて振幅を変化させる電磁干渉、いわゆるクロストークが生じ、回路基板が電磁干渉の生じた信号により誤動作するという問題があった。
【０００５】
本発明は以上の点を考慮してなされたもので、回路基板の誤動作を防止し得るシート状導体及び画像形成装置を提案しようとするものである。
【課題を解決するための手段】
【０００６】
かかる課題を解決するため本発明においては、複数の回路基板を電気的に接続する複数のフレキシブルフラットケーブルの配線にシート状導体を用いるようにして、当該シート状導体を、複数の部位が順に重なるように折り畳み、複数のフレキシブルフラットケーブルを、それぞれ部位を介在させて保持した状態で接地するようにした。
【０００７】
従って本発明では、複数のフレキシブルフラットケーブルに信号を流した際に、当該フレキシブルフラットケーブルから信号高周波成分が漏れ出ても、その信号高周波成分をシート状導体で受けてアースに流して、フレキシブルフラットケーブルに流れる信号に信号高周波成分が重畳されて電磁干渉が生じることを防止することができる。
【発明の効果】
【０００８】
本発明によれば、複数の回路基板を電気的に接続する複数のフレキシブルフラットケーブルの配線にシート状導体を用いるようにして、当該シート状導体を、複数の部位が順に重なるように折り畳み、複数のフレキシブルフラットケーブルを、それぞれ部位を介在させて保持した状態で接地することにより、複数のフレキシブルフラットケーブルに信号を流した際に、当該フレキシブルフラットケーブルから信号高周波成分が漏れ出ても、その信号高周波成分をシート状導体で受けてアースに流して、フレキシブルフラットケーブルに流れる信号に信号高周波成分が重畳されて電磁干渉が生じることを防止することができ、かくして回路基板の誤動作を防止し得るシート状導体及び画像形成装置を実現することができる。
【図面の簡単な説明】
【０００９】
【図１】本発明によるプリンタの構成を示す略線的斜視図である。
【図２】スキャナ基板用フラットケーブル、ヘッド基板用フラットケーブル及びパネル基板用フラットケーブルの構成を示す略線的正面図及び略線的背面図である。
【図３】遮蔽シートの構成を示す略線的正面図である。
【図４】遮蔽シートに形成された折り位置指示スリットの説明に供給する略線的正面図である。
【図５】遮蔽シートに対するスキャナ基板用フラットケーブル、ヘッド基板用フラットケーブル及びパネル基板用フラットケーブルの配置の説明に供する略線的正面図である。
【図６】遮蔽シートのシート中央部の折り畳みの説明に供する略線的断面図である。
【図７】遮蔽シートのシート一端部の折り畳みの説明に供する略線的断面図である。
【図８】遮蔽シートの第１部位他端部及び第２部位他端部の折り畳み（１）の説明に供する略線的正面図である。
【図９】遮蔽シートの第１部位他端部及び第２部位他端部の折り畳み（２）の説明に供する略線的正面図である。
【図１０】遮蔽シートの第１部位他端部及び第２部位他端部の折り畳み（３）の説明に供する略線的正面図である。
【図１１】遮蔽シートのシート他端部の折り畳みの説明に供する略線的断面図である。
【図１２】スキャナ基板用フラットケーブル、ヘッド基板用フラットケーブル及びパネル基板用フラットケーブルを挟み込んで折り畳まれた遮蔽シートの説明に供する略線的正面図である。
【図１３】遮蔽シートが折り畳まれた状態の第１中央側結束バンド部による結束の説明に供する略線的背面図及び略線的正面図並びに略線的断面図である。
【図１４】遮蔽シートが折り畳まれた状態の第２中央側結束バンド部による結束の説明に供する略線的正面図及び略線的断面図である。
【図１５】プリンタ内での遮蔽シートを用いたスキャナ基板用フラットケーブル、ヘッド基板用フラットケーブル及びパネル基板用フラットケーブルの配線の説明に供する略線的斜視図である。
【図１６】他の実施の形態による遮蔽シートの構成（１）を示す略線的断面図である。
【図１７】他の実施の形態による遮蔽シートの構成（２）を示す略線的断面図である。
【図１８】他の実施の形態による遮蔽シートの結束の説明に供する略線的断面図である。
【発明を実施するための形態】
【００１０】
以下図面を用いて、発明を実施するための最良の形態（以下、これを実施の形態とも呼ぶ）について説明する。なお、説明は以下の順序で行う。
（１）実施の形態
（２）他の実施の形態
【００１１】
（１）実施の形態
（１−１）プリンタの構成
図１において、１は全体として本発明によるプリンタを示す。係るプリンタ１は、例えば、図中の左斜め前側の端面が本体正面２Ａとなる略四角箱型のプリンタ本体２を有している。因みに、以下の説明では、プリンタ１を、本体正面２Ａと対峙して見た場合の図中に矢印ａ１で示すプリンタ１の上の方向を、プリンタ上方向とも呼び、これとは逆の方向を、プリンタ下方向とも呼び、これらを特に区別する必要がない場合は、まとめてプリンタ上下方向とも呼ぶ。また、以下の説明では、プリンタ１を、本体正面２Ａと対峙して見た場合の図中に矢印ｂ１で示すプリンタ１の前の方向を、プリンタ前方向とも呼び、これとは逆の方向を、プリンタ後方向とも呼び、これらを特に区別する必要がない場合は、まとめてプリンタ前後方向とも呼ぶ。さらに、以下の説明では、プリンタ１を、本体正面２Ａと対峙して見た場合の図中に矢印ｃ１で示すプリンタ１の左の方向を、プリンタ左方向とも呼び、これとは逆の方向を、プリンタ右方向とも呼び、これらを特に区別する必要がない場合は、まとめてプリンタ左右方向とも呼ぶ。プリンタ本体２は、下端部に、印刷画像の形成に用いられる長方形の記録紙やフィルム等の複数の媒体（図示せず）を収容する媒体カセット３がプリンタ前後方向にスライドして引出及び装填可能なように設けられている。またプリンタ本体２は、本体正面２Ａにおいて媒体カセット３の上側に、本体正面２Ａの一部を形成する手差トレイ２ＡＸがトレイ下端部に設けられたトレイ用ヒンジ（図示せず）を介して図中に矢印ｄ１で示す一回転方向及びこれとは逆の他回転方向へ回動して開閉可能なように取り付けられている。さらにプリンタ本体２は、本体上面２Ｂの前端部に、当該プリンタ本体２内のメンテナンス用の蓋部２ＢＸが蓋後端部に設けられた蓋部用ヒンジ（図示せず）を介して他回転方向及び一回転方向へ回動して開閉可能なように取り付けられている。さらにまたプリンタ本体２は、本体上面２Ｂにスキャナ部４が、当該プリンタ本体２内の後上端部に設けられたスキャナ部用ヒンジ（図示せず）を介して、下面４ＡＸを本体上面２Ｂとほぼ平行にする通常動作位置から前端部を持ち上げて本体上面２Ｂに対し下面４ＡＸを傾斜させるメンテナンス用持上位置までの範囲で一回転方向及び他回転方向へ回動可能に設けられている。これによりプリンタ本体２は、メンテナンス時、スキャナ部４を通常動作位置から他回転方向のメンテナンス用持上位置まで回転させることで、蓋部２ＢＸを開閉させることができる。これに加えてプリンタ本体２は、例えば、本体背面２Ｃの右下端部に、導電性のアース線を内蔵する電源ケーブル５が接続される電源コネクタ（図示せず）や、外部との通信用の１又は複数の通信ケーブル（図示せず）が接続される１又は複数の通信コネクタ（図示せず）が設けられている。そしてプリンタ本体２内には、導電性金属により形成された本体側シャーシ（図示せず）が収納されており、当該本体側シャーシが電源コネクタのアース端子に電気的に接続されている。またプリンタ本体２内には、右上端部に、第１回路基板としての主制御基板６が配置されると共に、手差トレイ２ＡＸの後側に、媒体の表面に印刷画像を形成するための画像形成部（図示せず）が配置されている。因みに主制御基板６は、プリンタ１全体を統括制御して各種処理を実行することで、コピー機能、プリント機能、ファクシミリ機能及びイメージスキャナ機能等の種々の機能を実現するためのものである。
【００１２】
スキャナ部４は、略コ字箱型のスキャナ部本体４Ａに、略偏平矩形状の原稿固定部４Ｂが後端部に設けられた固定部用ヒンジ（図示せず）を介して他回転方向及び一回転方向へ回転して開閉可能に設けられている。そして原稿固定部４Ｂは、上部右寄りに、表面に読取対象の画像が形成された媒体である原稿を載上するための原稿載上台４ＢＸが設けられると共に、当該原稿載上台４ＢＸから原稿固定部４Ｂ内に取り込んだ原稿を排出して受け渡すための原稿受渡部４ＢＹが設けられている。なお原稿固定部４Ｂ内には、左端部に、原稿載上台４ＢＸから原稿を当該原稿固定部４Ｂ内に取り込んで原稿受渡部４ＢＹへ排出するための自動原稿取込排出機構（図示せず）が配置されている。またスキャナ部本体４Ａは、上面後寄りに、開口部（図示せず）が形成されると共に、原稿を載せるためのガラス板（図示せず）が当該開口部を閉塞するように設けられている。さらにスキャナ部本体４Ａは、上面前端部に、操作画面等の表示と共にタッチ操作が可能な液晶ディスプレイのようなタッチスクリーンと、押下操作が可能な複数の操作キーとを有する操作パネル１０が配置されている。そしてスキャナ部本体４Ａ内には、導電性金属により形成されたスキャナ部シャーシ（図示せず）が収納されており、当該スキャナ部シャーシが直接、又は本体シャーシを介して電源コネクタのアース端子に電気的に接続されている。またスキャナ部本体４Ａ内には、後右端部に、第２回路基板としてのスキャナ制御基板１１が配置されると共に、後端部に原稿の表面の画像を光学的に読み取るための複数の画像読取素子が実装された第３回路基板としてのスキャナヘッド基板１２が、所定のヘッド移動機構（図示せず）を介してガラス板と対向する範囲でプリンタ左右方向へ移動可能に設けられている。さらにスキャナ部本体４Ａには、操作パネル１０の真下となる前端部に、第４回路基板としてのパネル制御基板１３が配置されている。因みにスキャナ制御基板１１は、スキャナ部本体４Ａ内のヘッド移動機構、及び原稿固定部４Ｂ内の自動原稿取込排出機構を駆動制御するためのものであり、パネル制御基板１３は、タッチスクリーンに対する操作画面等の表示を制御すると共に、当該タッチスクリーンに対するタッチ操作及び複数の操作キーの押下操作に応じた種々の制御コマンドの入力を制御するためのものである。そしてスキャナ制御基板１１は、後述する第１フレキシブルフラットケーブル（以下、これをスキャナ基板用フラットケーブルとも呼ぶ）を介して主制御基板６と電気的に接続されている。またスキャナヘッド基板１２は、スキャナ制御基板１１経由で、後述する第２フレキシブルフラットケーブル（以下、これをヘッド基板用フラットケーブルとも呼ぶ）を介して主制御基板６と電気的に接続されている。さらにパネル制御基板１３も、スキャナ制御基板１１経由で、後述する第３フレキシブルフラットケーブル（以下、これをパネル基板用フラットケーブルとも呼ぶ）を介して主制御基板６と電気的に接続されている。すなわち、スキャナヘッド基板１２及びパネル制御基板１３は、例えば、スキャナ制御基板１１に実装されている信号増幅素子にそれぞれ図示しないフレキシブルフラットケーブルを介して一旦、電気的に接続され、その信号増幅素子と主制御基板６とがヘッド基板用フラットケーブル及びパネル基板用フラットケーブルを介して電気的に接続されることにより、当該スキャナ制御基板１１経由で主制御基板６と電気的に接続されている。よってヘッド基板用フラットケーブル及びパネル基板用フラットケーブルは、スキャナ基板用フラットケーブルと同様にスキャナ制御基板１１から主制御基板６側へ引き出されている。
【００１３】
これによりプリンタ１の主制御基板６は、操作パネル１０のタッチスクリーンに対するタッチ操作や複数の操作キーに対する押下操作によって入力される制御コマンドを、パネル制御基板１３からパネル基板用フラットケーブルを介して取り込み、当該取り込んだ制御コマンドに応じた種々の処理を実行してプリンタ１全体を制御することができる。そして主制御基板６は、例えば、操作画面信号を、パネル基板用フラットケーブルを介してパネル制御基板１３に送出することで、当該パネル制御基板１３によりタッチスクリーンに操作画面を表示すると共に、操作パネル１０から与えられる制御コマンドに応じて、タッチスクリーンに表示する操作画面を適宜切り換えることができる。また主制御基板６は、画像読取時、スキャナ部本体４Ａ内の左端部の画像読取基準位置に、ヘッド移動機構を介してスキャナヘッド基板１２を位置させており、原稿載上台４ＢＸに原稿が載上されていると、自動原稿取込排出機構を駆動制御するための制御信号を、スキャナ基板用フラットケーブルを介してスキャナ制御基板１１に送出すると共に、スキャナヘッド基板１２を駆動制御するための制御信号を、ヘッド基板用フラットケーブルを介してスキャナヘッド基板１２に送出する。これにより主制御基板６は、スキャナ制御基板１１により自動原稿取込排出機構を介して原稿載上台４ＢＸから原稿を原稿固定部４Ｂ内に取り込んでスキャナヘッド基板１２との対向位置を通過させて原稿受渡部４ＢＹへ排出しながら、スキャナヘッド基板１２により原稿の表面の画像を読み取るようにして得られた画像読取信号を、ヘッド基板用フラットケーブルを介して取り込み、その画像読取信号に基づき原稿画像データを生成する。これに対して主制御基板６は、画像読取時、スキャナ部本体４Ａのガラス板に原稿が載上されていると、ヘッド移動機構を駆動制御するための制御信号を、スキャナ基板用フラットケーブルを介してスキャナ制御基板１１に送出すると共に、スキャナヘッド基板１２を駆動制御するための制御信号を、ヘッド基板用フラットケーブルを介してスキャナヘッド基板１２に送出する。これにより主制御基板６は、スキャナ制御基板１１によりヘッド移動機構を介してスキャナヘッド基板１２を画像読取基準位置からスキャナ部本体４Ａの右端部へ移動させながら、当該スキャナヘッド基板１２により原稿の表面の画像を読み取るようにして得られた画像読取信号を、ヘッド基板用フラットケーブルを介して取り込んで上述と同様に原稿画像データを生成する。そして主制御基板６は、例えば、原稿画像データに基づいて画像形成部を制御して媒体の表面に原稿画像を形成することで、コピー機能を実現することができる。また主制御基板６は、例えは、原稿画像データを、公衆回線網を介してファクシミリの送信先へ送信することで、ファクシミリ機能を実現することができる。さらに主制御基板６は、例えば、原稿画像データを外部のホストコンピュータに送信することで、イメージスキャナ機能を実現することができる。
【００１４】
（１−２）複数のフレキシブルフラットケーブルの配線構成
次いで、スキャナ基板用フラットケーブル、ヘッド基板用フラットケーブル及びパネル基板用フラットケーブルにより主制御基板６と、スキャナ制御基板１１、スキャナヘッド基板１２及びパネル制御基板１３とを電気的に接続する配線構成について説明する。まず、図２（Ａ）及び（Ｂ）を用いて、スキャナ基板用フラットケーブル２０、ヘッド基板用フラットケーブル２１及びパネル基板用フラットケーブル２２の構成について説明する。ただしスキャナ基板用フラットケーブル２０、ヘッド基板用フラットケーブル２１及びパネル基板用フラットケーブル２２は、基本的に同様の構成を有するため、以下には、スキャナ基板用フラットケーブル２０の構成について具体的に説明し、ヘッド基板用フラットケーブル２１及びパネル基板用フラットケーブル２２の構成の具体的な説明は省略する。図２（Ａ）及び（Ｂ）に示すように、スキャナ基板用フラットケーブル２０は、所定の狭ピッチで平行に並べられた複数本の導体を、樹脂材により比較的薄い帯状に形成された一対の絶縁シートにより挟み込むようにして被覆することにより、これら複数本の導体を互いに絶縁し、かつ外部からも絶縁した状態で一体成形されている。ただしスキャナ基板用フラットケーブル２０は、複数本の導体が所定の同一長さに選定されているものの、一対の絶縁シートが導体の長さよりも僅かに短い所定の同一長さに選定されている。よってスキャナ基板用フラットケーブル２０は、複数本の導体それぞれの導体一端部及び導体他端部を、主制御基板６及びスキャナ制御基板１１に実装されたケーブル用コネクタの対応するコネクタ端子と電気的に接続するための一端側ケーブル端子２０Ａ及び他端側ケーブル端子２０Ｂとして、一対の絶縁シートのシート一端及びシート他端から突出させている。ところで、主制御基板６及びスキャナ制御基板１１に実装されたケーブル用コネクタは、それぞれ上面にケーブル差込用のスリットが成形され、当該スリットの奥となる内部に、複数のコネクタ端子が所定の狭ピッチで平行に配置されている。そしてスキャナ基板用フラットケーブル２０は、一端側ケーブル端子２０Ａ及び他端側ケーブル端子２０Ｂが、対応するケーブル用コネクタのスリットに差し込まれることで、個々の導体の導体一端部及び導体他端部をコネクタ端子に電気的に接続している。このためスキャナ基板用フラットケーブル２０は、ケーブル一面２０Ｃでは一端側ケーブル端子２０Ａ及び他端側ケーブル端子２０Ｂを露出させるものの、ケーブル他面２０Ｄのケーブル一端部及びケーブル他端部には一方の絶縁シートのシート一端端部及びシート他端部から当該一端側ケーブル端子２０Ａ及び他端側ケーブル端子２０Ｂまでに亘り絶縁性の補強シート２０Ｅが貼着されている。これによりスキャナ基板用フラットケーブル２０は、一端側ケーブル端子２０Ａ及び他端側ケーブル端子２０Ｂがケーブル用コネクタのスリットに対して抜き差しされる際、当該一端側ケーブル端子２０Ａ及び他端側ケーブル端子２０Ｂが折れ曲がり、又は撓む等して変形することを防止することができる。なおスキャナ基板用フラットケーブル２０、ヘッド基板用フラットケーブル２１及びパネル基板用フラットケーブル２２は、上述したように基本的には同様の構成を有するものの、それぞれ配線の際の引回経路に応じてケーブル長が適宜選定されると共に、主制御基板６と、スキャナ制御基板１１、スキャナヘッド基板１２及びパネル制御基板１３との間で送受信される信号の種類に応じて、一対の絶縁シートの間に埋設される導体の本数と共にケーブル幅が適宜選定されている。因みにプリンタ１では、例えば、スキャナ部本体４Ａ内にファクシミリ機能用の種々の処理を実行する回路基板としてのファクシミリ制御基板も配置され、当該ファクシミリ制御基板がフレキシブルフラットケーブルを介してスキャナ制御基板１１に電気的に接続されている。そして主制御基板６は、スキャナ基板用フラットケーブル２０を介して、スキャナ制御基板１１用の信号とファクシミリ制御基板用の信号とを送受信している。このためプリンタ１では、例えば、ヘッド基板用フラットケーブル２１及びパネル基板用フラットケーブル２２にそれぞれ埋設される導体の本数よりもスキャナ基板用フラットケーブル２０に埋設される導体の本数が多く、これに伴いヘッド基板用フラットケーブル２１及びパネル基板用フラットケーブル２２それぞれのケーブル幅よりもスキャナ基板用フラットケーブル２０のケーブル幅が広くなっている。因みに、以下の説明では、スキャナ基板用フラットケーブル２０のケーブル幅を、最大ケーブル幅とも呼ぶ。またプリンタ１では、例えば、スキャナヘッド基板１２及びパネル制御基板１３の動作クロックの周波数に比して（すなわち、処理速度に比して）、スキャナ制御基板１１及びファクシミリ制御基板の動作クロックの周波数が高く（すなわち、処理速度が速く）、これに伴いヘッド基板用フラットケーブル２１及びパネル基板用フラットケーブル２２を介して送受信される信号の周波数よりも、スキャナ基板用フラットケーブル２０を介して送受信される信号の周波数が高くなっている。そしてスキャナ基板用フラットケーブル２０、ヘッド基板用フラットケーブル２１及びパネル基板用フラットケーブル２２は、それぞれ自身のケーブル長と、主制御基板６及びスキャナ制御基板１１における接続対象のケーブル用コネクタの配置位置とに応じて、ケーブル一端部及びケーブル他端部がケーブル幅方向やケーブル厚み方向へ適宜折り曲げられ、また互いのケーブル中央部が重ねられた状態でプリンタ本体２内からスキャナ部本体４Ａ内に亘って引き回されて、主制御基板６と、スキャナ制御基板１１、スキャナヘッド基板１２及びパネル制御基板１３とを電気的に接続するように配線されている。
【００１５】
ただしプリンタ１では、スキャナ基板用フラットケーブル２０、ヘッド基板用フラットケーブル２１及びパネル基板用フラットケーブル２２の配線に、当該スキャナ基板用フラットケーブル２０、ヘッド基板用フラットケーブル２１及びパネル基板用フラットケーブル２２から漏れ出る信号の高周波成分（以下、これを信号高周波成分とも呼ぶ）を遮蔽するためのシート状導体（以下、これを遮蔽シートとも呼ぶ）が用いられている。図３に示すように、遮蔽シート２５は、例えば、ＰＥＴ（polyethyleneterephthalate）のような略Ｔ字状の樹脂フィルムの片面全体に、導電性のアルミニウムのような金属箔を貼着又は蒸着して形成されている。因みに、以下の説明では、遮蔽シート２５において金属箔が露出する一面を、シート表面とも呼び、樹脂フィルムが露出する他面を、シート裏面とも呼ぶ。なお遮蔽シート２５は、後述するように折り畳まれてスキャナ基板用フラットケーブル２０、ヘッド基板用フラットケーブル２１及びパネル基板用フラットケーブル２２の配線に用いられるものの、図３にはシート裏面側から見た遮蔽シート２５の折り畳み前の形状を示している。そして遮蔽シート２５は、このように樹脂フィルムと金属箔との２層構造とすることで、全体の厚みが極力薄いものの、金属箔を破損させずに折り畳みや撓みのような変形が可能な所定の強度及び弾性を有している。また遮蔽シート２５は、シート幅が例えば、最大ケーブル幅の４倍以上の所定の幅に選定されている。そして遮蔽シート２５は、スキャナ基板用フラットケーブル２０、ヘッド基板用フラットケーブル２１及びパネル基板用フラットケーブル２２の配線に用いられる場合、図中に一点鎖線で示す位置が山折りの折り目となり、かつ破線で示す位置が谷折りの折り目となるように折り畳まれている。因みに、以下の説明では、図中に一点鎖線で示す山折りの折り目となる位置を、山折り位置とも呼び、破線で示す谷折りの折り目となる位置を、谷折り位置とも呼ぶ。実際に遮蔽シート２５のシート中央部は、シート長手方向と平行で、かつシート幅方向に沿ったほぼ等間隔の３箇所が一方の縁側から他方の縁側へ順に谷折り位置、山折り位置（以下、これを特に中央山折り位置とも呼ぶ）及び谷折り位置になっている。これにより遮蔽シート２５は、全体がシート中央部の中央山折り位置及び２箇所の谷折り位置を境界にしてシート長手方向に沿って長く、かつ互いの幅がほぼ等しい４つの第１乃至第４部位２５Ａ乃至２５Ｄに区分されている。因みに、第１乃至第４部位２５Ａ乃至２５Ｄは、遮蔽シート２５をシート幅方向に沿ったほぼ等間隔の中央山折り位置及び２箇所の谷折り位置で折り畳まれて区分されるため、何れも最大ケーブル幅以上のほぼ等しい幅になっている。なお、以下の説明では、第１乃至第４部位２５Ａ乃至２５Ｄの幅を、何れも部位幅とも呼ぶ。また、以下の説明では、第１乃至第４部位２５Ａ乃至２５Ｄにおいてシート長手方向の一端部２５ＡＡ乃至２５ＤＡを、第１乃至第４部位一端部２５ＡＡ乃至２５ＤＡとも呼び、他端部２５ＡＢ乃至２５ＤＢを、第１乃至第４部位他端部２５ＡＢ乃至２５ＤＢとも呼び、中央部２５ＡＣ乃至２５ＤＣを、第１乃至第４部位中央部２５ＡＣ乃至２５ＤＣとも呼ぶ。
【００１６】
この場合、外側に位置する第１部位２５Ａ及び第４部位２５Ｄは、シート長手方向と平行な直線状の中央山折り位置に対してほぼ線対象な形状を有し、第１部位一端部２５ＡＡ及び第４部位一端部２５ＤＡがシート長手方向に対して例えば、９０度の角度で一方及び他方の縁の横に突出している。また第１部位２５Ａ及び第４部位２５Ｄは、第１部位一端部２５ＡＡ及び第４部位一端部２５ＤＡの対向位置に、それぞれ円形の孔部が穿設されたシャーシ係止部２５ＡＤ、２５ＤＤが突設されている。さらに第１部位２５Ａ及び第４部位２５Ｄは、第１部位他端部２５ＡＢ及び第４部位他端部２５ＤＢの対向位置に、第２部位２５Ｂ及び第３部位２５Ｃの第２部位中央部２５ＢＣ及び第３部位中央部２５ＣＣから分離された略台形状の第２部位他端部２５ＢＢ及び第３部位他端部２５ＣＢが突設されている。そして第１部位２５Ａ及び第４部位２５Ｄは、第１部位他端部２５ＡＢ及び第４部位他端部２５ＤＢにおいて第２部位他端部２５ＢＢ及び第３部位他端部２５ＣＢの突設位置よりも第１部位中央部２５ＡＣ及び第４部位中央部２５ＤＣ寄りの所定の対象位置がそれぞれシート長手方向に対して例えば、４５度の角度で傾斜する直線状の山折り位置及び谷折り位置になっており、当該第２部位他端部２５ＢＢ及び第３部位他端部２５ＣＢとの接合位置が何れも山折り位置になっている。これにより第１部位２５Ａ及び第４部位２５Ｄは、第２部位２５Ｂ及び第３部位２５Ｃと共に折り畳まれる場合、第１部位他端部２５ＡＢ及び第４部位他端部２５ＤＢをシート長手方向に対して９０度の角度をなすように折り曲げさせて、当該第１部位他端部２５ＡＢ及び第４部位他端部２５ＤＢの間に第２部位他端部２５ＢＢ及び第３部位他端部２５ＣＢを介在させることができる。また第１部位２５Ａは、第１部位他端に部位幅よりも幅広な略四角形の接地部２５ＡＥが設けられている。さらに第１部位２５Ａは、第１部位他端部２５ＡＢ及び第１部位中央部２５ＡＣにおいて一方の縁の所定位置に、それぞれ先端部が鉤爪状に形成され、部位幅よりも長い所定長さの帯状の他端側結束バンド部２５ＡＦ及び第１中央側結束バンド部２５ＡＧがシート長手方向に対して９０度の角度で当該一方の縁の横に突出するように設けられると共に、これら他端側結束バンド部２５ＡＦ及び第１中央側結束バンド部２５ＡＧとの接合位置よりも内側に、略台形状の他端側バンド係合孔部２５ＡＨ及び中央側バンド係合孔部２５ＡＪが穿設されている。因みに、中央側バンド係合孔部２５ＡＪ内には、バンド接触片２５ＡＫが突設されている。また第４部位２５Ｄは、第４部位他端に、円形の孔部が穿設されたシャーシ係止部２５ＤＥが、シート長手方向に対して９０度の角度で第１部位他端部２５ＡＢ側に突出するように設けられると共に、第４部位他端部２５ＤＢの所定位置にも円形の孔部が穿設されたシャーシ係止部２５ＤＦが設けられている。さらに第４部位２５Ｄは、第４部位中央部２５ＤＣにおいて他方の縁の所定位置に、先端部にシャーシ係止用の円形の孔部が穿設され、部位幅よりも長い所定長さの帯状の第２中央側結束バンド部２５ＤＧがシート長手方向に対して９０度の角度で当該他方の縁の横に突出するように設けられると共に、その第２中央側結束バンド部２５ＤＧとの接合位置よりも内側に、一対のバンド挿通孔部２５ＤＨ、２５ＤＪが穿設されている。さらにまた第４部位２５Ｄは、第４部位中央部２５ＤＣにおいて第４部位一端部２５ＤＡ寄りの所定位置に略コ字状の係合部２５ＤＬが突設されると共に、第４部位他端部２５ＤＢ寄りの所定の対向位置に一対の略コ字状の係合部２５ＤＭ、２５ＤＮが突設されている。因みに、第４部位２５Ｄは、第４部位他端部２５ＤＢに、他端側結束バンド部２５ＡＦに対応するバンド接触片２５ＤＰが他方の縁の横に突出するように設けられている。一方、第１部位２５Ａ及び第４部位２５Ｄの内側に位置する第２部位２５Ｂ及び第３部位２５Ｃは、シート長手方向と平行な線状の中央山折り位置に対してほぼ線対象な形状を有し、第２部位一端部２５ＢＡ及び第３部位一端部２５ＣＡが共に第１部位一端部２５ＡＡ及び第４部位一端部２５ＤＡの前側に突出している。そして第２部位２５Ｂ及び第３部位２５Ｃは、第２部位一端部２５ＢＡ及び第３部位一端部２５ＣＡにおいて第１部位一端部２５ＡＡ及び第４部位一端部２５ＤＡ間の対象位置がシート長手方向に対して例えば、４５度の角度で傾斜する直線状の山折り位置になっており、当該第２部位一端部２５ＢＡ及び第３部位一端部２５ＣＡの間に切欠きが形成されている。これにより第２部位２５Ｂ及び第３部位２５Ｃは、第１部位２５Ａ及び第４部位２５Ｄと共に折り畳まれた場合、第２部位一端部２５ＢＡ及び第３部位一端部２５ＣＡをシート長手方向に対して９０度の角度をなすように折り曲げさせて、第１部位一端部２５ＡＡ及び第４部位一端部２５ＤＡの間に介在させることができる。ところで、図３と共に図４に示すように、遮蔽シート２５は、複数の直線状の山折り位置や谷折り位置の両端や中間部分に適宜、種々の長さの折り位置指示スリットＦＳが形成されている。これにより遮蔽シート２５は、これら折り位置指示スリットＦＳにより山折り位置や谷折り位置を容易に認識させることができる。また遮蔽シート２５は、シート中央部の中央山折り位置や２箇所の谷折り位置等の種々の山折り位置や谷折り位置では折り位置指示スリットＦＳの長さが比較的長い分、実際に折り曲げる部分の長さが短くなっているため、容易に折り畳ませることができる。
【００１７】
実際に図５に示すように、遮蔽シート２５は、折り畳みの際、シート長手方向を、スキャナ基板用フラットケーブル２０、ヘッド基板用フラットケーブル２１及びパネル基板用フラットケーブル２２それぞれのケーブル長手方向とほぼ平行にして、当該スキャナ基板用フラットケーブル２０のケーブル一面２０Ｃをシート裏面の第１部位２５Ａと対向させている。また遮蔽シート２５は、ヘッド基板用フラットケーブル２１のケーブル一面２１Ｃをシート表面の第２部位２５Ｂと対向させると共に、パネル基板用フラットケーブル２２のケーブル一面２２Ｃをシート裏面の第３部位２５Ｃと対向させている。そして図６に示すように、遮蔽シート２５のシート中央部は、中央山折り位置及び２箇所の谷折り位置をもとに第１乃至第４部位中央部２５ＡＣ乃至２５ＤＣがＷ字状に折り畳まれることで、当該第１乃至第４部位中央部２５ＡＣ乃至２５ＤＣの複数の部位重ね箇所にスキャナ基板用フラットケーブル２０のケーブル中央部、ヘッド基板用フラットケーブル２１のケーブル中央部及びパネル基板用フラットケーブル２２のケーブル中央部を個別に覆い隠すように挟み込んでいる。すなわち、遮蔽シート２５は、シート中央部においてシート裏面の第１部位中央部２５ＡＣと第２部位中央部２５ＢＣとの間にスキャナ基板用フラットケーブル２０のケーブル中央部を挟み込み、シート表面の第２部位中央部２５ＢＣと第３部位中央部２５ＣＣとの間にヘッド基板用フラットケーブル２１のケーブル中央部を挟み込み、シート裏面の第３部位中央部２５ＣＣと第４部位中央部２５ＤＣとの間にパネル基板用フラットケーブル２２のケーブル中央部を挟み込んでいる。また図７に示すように、遮蔽シート２５のシート一端部は、第２部位一端部２５ＢＡ及び第３部位一端部２５ＣＡを各々の山折り位置でシート長手方向に対して９０度の角度をなすように折り曲げるようにして、シート中央部の折り畳みに加えて、第１乃至第４部位一端部２５ＡＡ乃至２５ＤＡが順に重なるように折り畳まれている。なおスキャナ基板用フラットケーブル２０、ヘッド基板用フラットケーブル２１及びパネル基板用フラットケーブル２２は、それぞれケーブル一端部が第２部位一端部２５ＢＡ及び第３部位一端部２５ＣＡの山折り位置と対向する位置で、ケーブル長手方向に対して９０度の角度をなすように折り曲げられている。これにより遮蔽シート２５のシート一端部は、第１乃至第４部位一端部２５ＡＡ乃至２５ＤＡの複数の部位重ね箇所にスキャナ基板用フラットケーブル２０のケーブル一端部、ヘッド基板用フラットケーブル２１のケーブル一端部及びパネル基板用フラットケーブル２２のケーブル一端部を個別に覆い隠すように挟み込んでいる。すなわち、遮蔽シート２５は、シート一端部においてシート裏面の第１部位一端部２５ＡＡとシート表面の第２部位一端部ＢＡとの間にスキャナ基板用フラットケーブル２０のケーブル一端部を挟み込み、シート裏面の第２部位一端部２５ＢＡと第３部位一端部２５ＣＡとの間にヘッド基板用フラットケーブル２１のケーブル一端部を挟み込み、シート表面の第３部位一端部２５ＣＡとシート裏面の第４部位一端部２５ＤＡとの間にパネル基板用フラットケーブル２２のケーブル一端部を挟み込んでいる。
【００１８】
さらに図８に示すように、遮蔽シート２５のシート他端部は、例えば、第１部位他端部２５ＡＢが第１部位中央部２５ＡＣ寄りの山折り位置で、シート長手方向に対して９０度の角度をなすように折り曲げられている。また図９に示すように、遮蔽シート２５のシート他端部は、第２部位他端部２５ＢＢが第１部位他端部２５ＡＢとの接合位置である山折り位置で当該第１部位他端部２５ＡＢに重ねるようにＶ字状に折り曲げられている。さらに図１０に示すように、スキャナ基板用フラットケーブル２０は、ケーブル他端部が第１部位他端部２５ＡＢの山折り位置と対向する位置で、ケーブル長手方向に対して９０度の角度をなすように折り曲げられ、当該第１部位他端部２５ＡＢと第２部位他端部２５ＢＢとの間に通されている。これに加えて遮蔽シート２５のシート他端部は、特に図示していないが、第４部位他端部２５ＤＢが第４部位中央部２５ＤＣ寄りの谷折り位置で、シート長手方向に対して９０度の角度をなすように折り曲げられると共に、第３部位他端部２５ＣＢが第４部位他端部２５ＤＢとの接合位置である山折り位置で当該第４部位他端部２５ＤＢに重ねるようにＶ字状に折り曲げられている。またパネル基板用フラットケーブル２２は、ケーブル他端部が第４部位他端部２５ＤＢの谷折り位置と対向する位置で、ケーブル長手方向に対して９０度の角度をなすように折り曲げられ、当該第４部位他端部２５ＤＢと第３部位他端部２５ＣＢとの間に通されている。因みにヘッド基板用フラットケーブル２１は、ケーブル他端部が第１部位他端部２５ＡＢの山折り位置（また第４部位他端部２５ＤＢの谷折り位置）と対向する位置で、ケーブル長手方向に対して９０度の角度をなすように折り曲げられて第２部位他端部２５ＢＢと第３部位他端部２５ＣＢとの間に通されている。このようにして遮蔽シート２５のシート他端部は、シート中央部の折り畳みに加えて、第１乃至第４部位他端部２５ＡＢ乃至２５ＤＢが順に重なるように折り畳まれている。これにより図１１に示すように、遮蔽シート２５のシート他端部は、第１乃至第４部位他端部２５ＡＢ乃至２５ＤＢの複数の部位重ね箇所にスキャナ基板用フラットケーブル２０のケーブル他端部、ヘッド基板用フラットケーブル２１のケーブル他端部及びパネル基板用フラットケーブル２２のケーブル他端部を個別に覆い隠すように挟み込んでいる。すなわち、遮蔽シート２５は、シート他端部においてシート表面の第１部位他端部２５ＡＢと第２部位他端部２５ＢＢとの間にスキャナ基板用フラットケーブル２０のケーブル他端部を挟み込み、シート裏面の第２部位他端部２５ＢＢと第３部位他端部２５ＣＢとの間にヘッド基板用フラットケーブル２１のケーブル他端部を挟み込み、シート表面の第３部位他端部２５ＣＢと第４部位他端部２５ＤＢとの間にパネル基板用フラットケーブル２２のケーブル他端部を挟み込んでいる。
【００１９】
このようにして図１２に示すように、遮蔽シート２５は、複数の山折り位置及び谷折り位置をもとに、複数の第１乃至第４部位２５Ａ乃至２５Ｄを順に重ねるようにして全体が、シート一端からシート他端に亘りほぼ部位幅で略Ｚ字状の外観をなすように折り畳まれている。そして遮蔽シート２５は、このように折り畳まれると、順に重なる第１乃至第４部位２５Ａ乃至２５Ｄによりスキャナ基板用フラットケーブル２０、ヘッド基板用フラットケーブル２１及びパネル基板用フラットケーブル２２を個別に覆い隠すように挟み込んで保持することができる。すなわち、遮蔽シート２５は、スキャナ基板用フラットケーブル２０、ヘッド基板用フラットケーブル２１及びパネル基板用フラットケーブル２２を、直接重なり合わせることなく、第１乃至第４部位２５Ａ乃至２５Ｄを介在させて保持することができる。ところで、図１３（Ａ）乃至（Ｃ）に示すように、遮蔽シート２５は、上述したようにシート一端部からシート他端部に亘って折り畳まれると、第１中央側結束バンド部２５ＡＧを、そのシート表面を外側に向けて第４部位２５Ｄ側から第１部位２５Ａ側へ巻き付けさせたうえで、鉤爪状の先端部を中央側バンド係合孔部２５ＡＪに差し込ませて係合させている。これにより遮蔽シート２５は、シート中央部においてシート他端部寄りの位置を折り畳んだ状態に結束することができる。そして遮蔽シート２５は、この際、バンド接触片２５ＡＫを中央側バンド係合孔部２５ＡＪからシート裏面側へ折り曲げることで、当該バンド接触片２５ＡＫと第１中央側結束バンド部２５ＡＧとを、互いのシート表面（すなわち、金属箔）の部分で接触させて導通させている。また遮蔽シート２５は、他端側結束バンド部２５ＡＦも、そのシート裏面を外側に向けた状態ではあるが、同様に第４部位２５Ｄ側から第１部位２５Ａ側へ巻き付けさせたうえで、鉤爪状の先端部を他端側バンド係合孔部２５ＡＨに差し込ませて係合させている。これにより遮蔽シート２５は、シート他端部においてシート中央部寄りの位置も折り畳んだ状態に結束することができる。因みに、遮蔽シート２５は、この際、バンド接触片２５ＤＰをシート裏面側へ折り曲げることで、当該バンド接触片２５ＤＰと他端側結束バンド部２５ＡＦとを、互いのシート表面（すなわち、金属箔）の部分で接触させて導通させている。さらに図１４（Ａ）及び（Ｂ）に示すように、遮蔽シート２５は、第２中央側結束バンド部２５ＤＧを、そのシート表面を外側に向けて第１部位２５Ａ側から第４部位２５Ｄ側へ巻き付けさせたうえで、先端部を一対のバンド挿通孔部２５ＤＨ、２５ＤＪに順に通した後、折り曲げさせて係合させている。これにより遮蔽シート２５は、シート中央部においてシート一端部寄りの位置も折り畳んだ状態に結束することができる。このようにして遮蔽シート２５は、他端側結束バンド部２５ＡＦ、第１中央側結束バンド部２５ＡＧ及び第２中央側結束バンド部２５ＤＧにより対応する箇所を結束することで、第１乃至第４部位２５Ａ乃至２５Ｄの個々の部位重ね箇所に挟み込んでいるスキャナ基板用フラットケーブル２０、ヘッド基板用フラットケーブル２１及びパネル基板用フラットケーブル２２が外部に抜け出すことを防止して、これらの保持を維持することができる。
【００２０】
そして図１５に示すように、遮蔽シート２５は、折り畳まれてスキャナ基板用フラットケーブル２０、ヘッド基板用フラットケーブル２１及びパネル基板用フラットケーブル２２を保持した状態で、プリンタ本体２内の主制御基板６の近傍から、スキャナ部用ヒンジの真横となる後上右端部に設けられた湾曲板状の配線ガイド３０に沿ってスキャナ部本体４Ａ内に入り込んでスキャナ制御基板１１の近傍まで引き回されている。この場合、遮蔽シート２５は、シート一端部を主制御基板６の近傍に位置させ、シート他端部をスキャナ制御基板１１の近傍に位置させている。そのうえで遮蔽シート２５は、本体側シャーシに対し、折り畳まれて一体化されたシャーシ係止部（以下、これらを一体化シャーシ係止部とも呼ぶ）２５ＡＤ、２５ＤＤがシート表面を接触させた状態で孔部を介してねじ止めされると共に、第２中央側結束バンド部２５ＤＧもシート表面を接触させた状態で先端の孔部を介してねじ止めされている。また遮蔽シート２５は、スキャナ部シャーシに対し、折り畳まれたシャーシ係止部（以下、これを折畳シャーシ係止部とも呼ぶ）２５ＤＥがシート表面を接触させた状態で孔部を介してねじ止めされると共に、シャーシ係止部２５ＤＦもシート表面を接触させた状態で孔部を介してねじ止めされている。これにより遮蔽シート２５は、これら一体化シャーシ係止部２５ＡＤ、２５ＤＤ、第２中央側結束バンド部２５ＤＧ、折畳シャーシ係止部２５ＤＥ及びシャーシ係止部２５ＤＦを介して本体側シャーシ及びスキャナ部シャーシに電気的に接続されている。また遮蔽シート２５は、例えば、接地部２５ＡＥがシート表面全体をスキャナ部シャーシの一面に接触させるようにして、スキャナ制御基板１１の支持台（図示せず）により当該スキャナ部シャーシとの間に挟み込まれている。これにより遮蔽シート２５は、接地部２５ＡＥによってもスキャナ部シャーシに電気的に接続されている。そして本体側シャーシ及びスキャナ部シャーシは、上述したように電源ケーブル５内のアース線に電気的に接続されている。よって遮蔽シート２５は、これら本体側シャーシ及びスキャナ部シャーシと電源ケーブル５内のアース線とを順次介して接地（すなわち、商用電源のアースに電気的に接続）されている。因みに、遮蔽シート２５は、シート一端部側の係合部２５ＤＬがプリンタ本体２内に設けられた所定の係合突起（図示せず）に係合されると共に、シート他端部側の係合部２５ＤＭ、２５ＤＮがスキャナ部本体４Ａ内に設けられた所定の係合突起（図示せず）に係合されている。そのうえでスキャナ基板用フラットケーブル２０、ヘッド基板用フラットケーブル２１及びパネル基板用フラットケーブル２２は、それぞれ一端側ケーブル端子２０Ａ乃至２２Ａが主制御基板６に実装された、対応する３個のケーブル用コネクタ３１乃至３３に機械的及び電気的に接続されると共に、他端側ケーブル端子２０Ｂ乃至２２Ｂがスキャナ制御基板１１に実装された、対応する３個のケーブル用コネクタ（図示せず）に機械的及び電気的に接続されている。このようにしてプリンタ１では、折り畳んだ遮蔽シート２５により、重ねるようにして配線するスキャナ基板用フラットケーブル２０、ヘッド基板用フラットケーブル２１及びパネル基板用フラットケーブル２２を互いに非接触の状態で保持している。これによりプリンタ１では、スキャナ基板用フラットケーブル２０、ヘッド基板用フラットケーブル２１及びパネル基板用フラットケーブル２２から信号を流した際に信号高周波成分が漏れ出ても、その信号高周波成分を遮蔽シート２５で受けてアースに流すことができる。よってプリンタ１では、スキャナ基板用フラットケーブル２０、ヘッド基板用フラットケーブル２１及びパネル基板用フラットケーブル２２の何れから信号高周波成分が漏れ出ても、他のスキャナ基板用フラットケーブル２０、ヘッド基板用フラットケーブル２１及びパネル基板用フラットケーブル２２に流れる信号に当該信号高周波成分が重畳されて振幅を変化させる電磁干渉、すなわちクロストークが生じることを防止することができる。
【００２１】
なお、この実施の形態の場合、遮蔽シート２５は、スキャナ基板用フラットケーブル２０、ヘッド基板用フラットケーブル２１及びパネル基板用フラットケーブル２２の配線に伴い、シート中央部をある程度、撓ませた状態で、スキャナ部用ヒンジの近傍の配線ガイド３０に沿わせている。そして遮蔽シート２５は、スキャナ部４が通常動作位置から他回転方向のメンテナンス用持上位置まで回転した際、そのスキャナ部４によりシート中央部が上側へ引っ張られることで、当該シート中央部が撓みを小さくするように変形する。また遮蔽シート２５は、スキャナ部４がメンテナンス用持上位置から一回転方向の通常動作位置まで回転した際、そのスキャナ部４によりシート中央部が下側へ押されることで、当該シート中央部が撓みを大きくするように変形する。このため遮蔽シート２５は、シート中央部において配線ガイド３０に沿う箇所は結束せずに、これから外れた箇所を上述したように、第１中央側結束バンド部２５ＡＧや第２中央側結束バンド部２５ＤＧによって結束している。また遮蔽シート２５では、第１中央側結束バンド部２５ＡＧの幅よりも中央側バンド係合孔部２５ＡＪの幅を広くして、当該中央側バンド係合孔部２５ＡＪ内で第１中央側結束バンド部２５ＡＧの先端部をシート長手方向に沿ってある程度、変位させ得るようにしている。さらに遮蔽シート２５では、第２中央側結束バンド部２５ＤＧの幅よりも一対のバンド挿通孔部２５ＤＨ、２５ＤＪの幅も広くして、当該一対のバンド挿通孔部２５ＤＨ、２５ＤＪ内で第２中央側結束バンド部２５ＤＧの先端部をシート長手方向に沿ってある程度、変位させ得るようにしている。さらにまた遮蔽シート２５は、シート中央部において配線ガイド３０に沿う箇所の山折り位置及び谷折り位置には折り位置指示スリットＦＳが形成されている。これにより遮蔽シート２５は、スキャナ部４が通常動作位置から他回転方向のメンテナンス用持上位置まで回転した際、第１乃至第４部位中央部２５ＡＣ乃至２５ＤＣを個別にスキャナ基板用フラットケーブル２０、ヘッド基板用フラットケーブル２１及びパネル基板用フラットケーブル２２のケーブル中央部から僅かに浮かせるようにしてシート中央部を変形させることができる。また遮蔽シート２５は、スキャナ部４がメンテナンス用持上位置から一回転方向の通常動作位置まで回転した際、第１乃至第４部位中央部２５ＡＣ乃至２５ＤＣを個別にスキャナ基板用フラットケーブル２０、ヘッド基板用フラットケーブル２１及びパネル基板用フラットケーブル２２のケーブル中央部に密着させるようにしてシート中央部を変形させることができる。よって遮蔽シート２５は、スキャナ部４の回転に伴いシート中央部が変形するものの、その際にスキャナ基板用フラットケーブル２０、ヘッド基板用フラットケーブル２１及びパネル基板用フラットケーブル２２がシート中央部と擦れて損傷し、また無理な引っ張りによって断線することをほぼ確実に防止することができる。また遮蔽シート２５自体も、スキャナ部４の回転に伴うシート中央部の変形により、当該シート中央部がスキャナ基板用フラットケーブル２０、ヘッド基板用フラットケーブル２１及びパネル基板用フラットケーブル２２との擦れや引っ張りによって損傷することをほぼ確実に防止することができる。
【００２２】
（１−３）実施の形態の動作及び効果
以上の構成において、プリンタ１では、遮蔽シート２５を複数の第１乃至第４部位２５Ａ乃至２５Ｄが順に重なるように折り畳み、当該遮蔽シート２５により第１乃至第４部位２５Ａ乃至２５Ｄの部位重ね箇所にスキャナ基板用フラットケーブル２０、ヘッド基板用フラットケーブル２１及びパネル基板用フラットケーブル２２を個別に覆い隠すように挟み込んで保持する。そしてプリンタ１では、遮蔽シート２５により保持したスキャナ基板用フラットケーブル２０、ヘッド基板用フラットケーブル２１及びパネル基板用フラットケーブル２２によって主制御基板６と、スキャナ制御基板１１、スキャナヘッド基板１２及びパネル制御基板１３とを電気的に接続すると共に、当該遮蔽シート２５を接地した。以上の構成によれば、プリンタ１では、スキャナ基板用フラットケーブル２０、ヘッド基板用フラットケーブル２１及びパネル基板用フラットケーブル２２に信号を流した際に、当該スキャナ基板用フラットケーブル２０、ヘッド基板用フラットケーブル２１及びパネル基板用フラットケーブル２２から信号高周波成分が漏れ出ても、その信号高周波成分を遮蔽シート２５で受けてアースに流すことができる。これによりプリンタ１は、スキャナ基板用フラットケーブル２０、ヘッド基板用フラットケーブル２１及びパネル基板用フラットケーブル２２に流れる信号に、これらから漏れ出た信号高周波成分が重畳されて振幅を変化させる電磁干渉が生じることを防止することができる。よってプリンタ１は、主制御基板６と、スキャナ制御基板１１、スキャナヘッド基板１２及びパネル制御基板１３とが、スキャナ基板用フラットケーブル２０、ヘッド基板用フラットケーブル２１及びパネル基板用フラットケーブル２２に流れる信号を取り込んだ際、その信号により誤動作することを防止することができる。
【００２３】
またプリンタ１は、遮蔽シート２５の複数箇所を、シート一端からシート他端に亘り、一体化シャーシ係止部２５ＡＤ、２５ＤＤ、第２中央側結束バンド部２５ＤＧ、折畳シャーシ係止部２５ＤＥ、シャーシ係止部２５ＤＦ、接地部２５ＡＥを介して接地するようにした。従ってプリンタ１は、遮蔽シート２５がスキャナ基板用フラットケーブル２０、ヘッド基板用フラットケーブル２１及びパネル基板用フラットケーブル２２から漏れ出た信号高周波成分を受けた場合、当該遮蔽シート２５から信号高周波成分を速やかにアースに流すことができる。特にプリンタ１では、遮蔽シート２５の接地部２５ＡＥを、折り畳みにより順に重なる第１乃至第４部位２５Ａ乃至２５Ｄの部位幅よりも幅広に形成して、当該接地部２５ＡＥのシート表面全体を接地用に、スキャナ部シャーシの一面に接触させた。よってプリンタ１は、遮蔽シート２５で受けた信号高周波成分を、スキャナ部シャーシの一面に対する接触面積の比較的大きい接地部２５ＡＥを介してアースへさらに流し易くすることができる。従ってプリンタ１は、遮蔽シート２５で受けた信号高周波成分が、スキャナ基板用フラットケーブル２０、ヘッド基板用フラットケーブル２１及びパネル基板用フラットケーブル２２に流れる信号に重畳されて電磁干渉が生じることを、より確実に防止することができる。
【００２４】
さらにプリンタ１では、遮蔽シート２５のシート中央部をＷ字状に折り畳んで３個の部位重ね箇所にスキャナ基板用フラットケーブル２０、ヘッド基板用フラットケーブル２１及びパネル基板用フラットケーブル２２各々のケーブル中央部を挟み込んで保持するようにした。よってプリンタ１は、遮蔽シート２５のシート中央部において第１部位中央部２５ＡＣ乃至第４部位中央部２５ＤＣがシート幅方向へ個別にずれることを防止し得ると共に、中央山折り位置及び２箇所の谷折り位置である当該第１部位中央部２５ＡＣ乃至第４部位中央部２５ＤＣの接合位置をスキャナ基板用フラットケーブル２０、ヘッド基板用フラットケーブル２１及びパネル基板用フラットケーブル２２各々のケーブル中央部に対するシート幅方向への位置ずれ防止用のストッパとして機能させて、これらケーブル中央部のシート幅方向への位置ずれを極力防止することができる。またプリンタ１では、遮蔽シート２５のシート他端部において、シート長手方向に長いシート中央部から第１部位他端部２５ＡＢ及び第４部位他端部２５ＤＢを当該シート長手方向に対して９０度の角度をなすように個別に折り曲げるものの、第２部位他端部２５ＢＢ及び第３部位他端部２５ＣＢを、第２部位中央部２５ＢＣ及び第３部位中央部２５ＣＣからは分離して第１部位他端部２５ＡＢ及び第４部位他端部２５ＤＢに設けるようにした。そしてプリンタ１では、遮蔽シート２５のシート他端部において、第１部位他端部２５ＡＢ及び第２部位他端部２５ＢＢと、第４部位他端部２５ＤＢ及び第３部位他端部２５ＣＢとをそれぞれＶ字状に折り畳んでスキャナ基板用フラットケーブル２０及びパネル基板用フラットケーブル２２各々のケーブル他端部を挟み込むようにした。よってプリンタ１は、遮蔽シート２５のシート他端部において第１部位他端部２５ＡＢに対して第２部位他端部２５ＡＢがシート幅方向へずれることを防止し得ると共に、第４部位他端部２５ＤＢに対して第３部位他端部２５ＣＢがシート幅方向へずれることも防止することができる。またプリンタ１は、遮蔽シート２５のシート他端部において山折り位置である第１部位他端部２５ＡＢと第２部位他端部２５ＡＢとの接合位置、及び第４部位他端部２５ＤＢと第３部位他端部２５ＣＢとの接合位置をスキャナ基板用フラットケーブル２０及びパネル基板用フラットケーブル２２各々のケーブル他端部に対するシート幅方向への位置ずれ防止用のストッパとして機能させて、これらケーブル他端部のシート幅方向への位置ずれを極力防止することができる。従ってプリンタ１は、このような遮蔽シート２５の折り畳み方により、当該遮蔽シート２５によって保持するスキャナ基板用フラットケーブル２０、ヘッド基板用フラットケーブル２１及びパネル基板用フラットケーブル２２が部位重ね箇所からずれ出て、直接重なり合うことを極力回避することができる。
【００２５】
これに加えてプリンタ１では、遮蔽シート２５の複数箇所を、第１中央側結束バンド部２５ＡＧ、第２中央側結束バンド部２５ＤＧ及び他端側結束バンド部２５ＡＦにより折り畳んだ状態に結束するようにした。これによりプリンタ１は、遮蔽シート２５により複数の部位重ね箇所に挟み込んで保持しているスキャナ基板用フラットケーブル２０、ヘッド基板用フラットケーブル２１及びパネル基板用フラットケーブル２２が当該部位重ね箇所から抜け出すことを防止して、これらの保持を維持することができる。そしてプリンタ１では、遮蔽シート２５を折り畳んだ状態に結束するための第１中央側結束バンド部２５ＡＧ、第２中央側結束バンド部２５ＤＧ及び他端側結束バンド部２５ＡＦを、当該遮蔽シート２５の一部として形成した。従ってプリンタ１は、遮蔽シート２５を、折り畳んでスキャナ基板用フラットケーブル２０、ヘッド基板用フラットケーブル２１及びパネル基板用フラットケーブル２２を保持した状態の全体の厚みをほとんど変えずに結束することができ、プリンタ１内での遮蔽シート２５の配置スペースが増大することを防止することができる。またプリンタ１は、遮蔽シート２５を結束するために、外付けの結束バンドのような他の部品を特には必要としないため、構成が煩雑化することも防止することができる。ところで、プリンタ１では、遮蔽シート２５を結束した状態では、第１部位２５Ａに設けられた第１中央側結束バンド部２５ＡＧの先端部も、バンド接触片２５ＡＫを介して当該第１部位２５Ａに導通させると共に、その第１部位２５Ａに設けられた他端側結束バンド部２５ＡＦを、バンド接触片２５ＤＰを介して第４部位２５Ｄにも導通させている。よってプリンタ１は、例えば、スキャナ基板用フラットケーブル２０、ヘッド基板用フラットケーブル２１及びパネル基板用フラットケーブル２２から漏れ出た信号高周波成分が直接、第１中央側結束バンド部２５ＡＧや他端側結束バンド部２５ＡＦに流れても、当該第１中央側結束バンド部２５ＡＧや他端側結束バンド部２５ＡＦから第１部位２５Ａや第４部位２５Ｄを介して速やかにアース側へ流すことができる。
【００２６】
（２）他の実施の形態
（２−１）他の実施の形態１
なお上述した実施の形態においては、遮蔽シート２５のシート中央部をＷ字状に折り畳んで３本のスキャナ基板用フラットケーブル２０、ヘッド基板用フラットケーブル２１及びパネル基板用フラットケーブル２２を挟み込むようにした場合について述べた。しかしながら本発明は、これに限らず、例えば、図１６（Ａ）及び（Ｂ）に示すように、遮蔽シート４０のシート中央部を蛇腹状に折り畳んで４つ以上の部位重ね箇所を形成して、これら部位重ね箇所に４本以上のフレキシブルフラットケーブル４１乃至４５のケーブル中央部を個別に挟み込み、又は遮蔽シート４６のシート中央部をＺ字状に折り畳んで２つの部位重ね箇所を形成して、これら部位重ね箇所に２本のフレキシブルフラットケーブル４７、４８のケーブル中央部を個別に挟み込むようにしても良い。そして本発明は、遮蔽シート４０、４６を全体が略Ｚ字状の外観をなすように折り畳む場合、シート一端部及びシート他端部については、複数の部位一端部及び複数の部位他端部に、例えば、上述した第１乃至第４部位一端部２５ＡＡ乃至２５ＤＡ及び第１乃至第４部位他端部２５ＡＢ乃至２５ＤＢの何れかの構成を適宜組み合わせて適用することで、複数の部位重ね箇所にフレキシブルフラットケーブル４１乃至４５、４７、４８のケーブル一端部及びケーブル他端部を個別に挟み込むことができる。本発明は、係る構成によっても、上述した実施の形態と同様の効果を得ることができる。また本発明は、例えば、図１７（Ａ）及び（Ｂ）に示すように、遮蔽シート５０をＷ字状に折り畳んで３つの部位重ね箇所を形成して、これら部位重ね箇所に３本のフレキシブルフラットケーブル５１乃至５３のケーブル中央部を個別に挟み込み、さらに３つの部位重ね箇所の外側となる２箇所の露出箇所の少なくとも一方に１本のフレキシブルフラットケーブル５４のケーブル中央部を個別に保持し、又は遮蔽シート５５をＶ字状に折り畳んで１つの部位重ね箇所を形成して、当該部位重ね箇所に１本のフレキシブルフラットケーブル５６のケーブル中央部を挟み込み、さらに部位重ね箇所の外側となる２箇所の露出箇所の少なくとも一方に１本のフレキシブルフラットケーブル５７のケーブル中央部を個別に保持するようにしても良い。そして本発明は、遮蔽シート５０、５５を全体が略Ｚ字状の外観をなすように折り畳む場合も、シート一端部及びシート他端部については、複数の部位一端部及び複数の部位他端部に、例えば、上述した第１乃至第４部位一端部２５ＡＡ乃至２５ＤＡ及び第１乃至第４部位他端部２５ＡＢ乃至２５ＤＢの何れかの構成を適宜組み合わせて適用することで、１又は複数の部位重ね箇所にフレキシブルフラットケーブル５１乃至５３、５６のケーブル一端部及びケーブル他端部を個別に挟み込むことができ、さらに２箇所の露出箇所の少なくとも一方に１本のフレキシブルフラットケーブル５４、５６のケーブル一端部及びケーブル他端部を個別に保持することができる。因みに本発明は、遮蔽シート５０、５５の露出箇所にフレキシブルフラットケーブル５４、５７を保持する手法としては、接着剤や接着テープ等で貼着し、また遮蔽シート５０、５５の一部として形成した結束バンド部や外付けの結束バンド部によって結束する等のように種々の手法を適用することができる。本発明は、係る構成によれば、遮蔽シート５０、５５により挟み込んだフレキシブルフラットケーブル５１乃至５３、５６と共に、露出箇所に保持したフレキシブルフラットケーブル５４、５７も重ねるようにして配線することになるが、フレキシブルフラットケーブル５１乃至５４、５６、５７の何れから信号高周波成分が漏れ出しても、遮蔽シート５０、５５により当該信号高周波成分を他のフレキシブルフラットケーブル５１乃至５４、５６、５７に流れる信号に重畳させないように遮蔽することができ、上述した実施の形態と同様の効果を得ることができる。このように本発明は、遮蔽シートをＶ字状、Ｚ字状、Ｗ字状、蛇腹状のように折り畳んで、形成する部位重ね箇所を多くすれば、その分、部位重ね箇所の数に応じた本数のフレキシブルフラットケーブルを当該部位重ね箇所に個別に挟み込むことができる。また本発明は、遮蔽シートを少なくとも１以上の部位重ね箇所を形成するように折り畳んだ場合、その折り畳みで生じる２箇所の露出箇所にフレキシブルフラットケーブルを個別に保持すれば、部位重ね箇所の数よりも多いフレキシブルフラットケーブルを重ねるようにしても、信号の電磁干渉を防止しながら配線することができる。ところで、フレキシブルフラットケーブルは、信号を流した際に漏れ出すものが信号高周波成分であり、流れる信号の周波数が高いほど、信号高周波成分が漏れ出し易い傾向にある。このため本発明は、折り畳んだ遮蔽シートの部位重ね箇所と露出箇所とに、流れる信号の周波数が異なるフレキシブルフラットケーブルを保持する場合、部位重ね箇所に、流れる信号の周波数が最も高いフレキシブルフラットケーブルから優先的に保持し、露出箇所には、流れる信号の周波数が最も低いフレキシブルフラットケーブルを保持するようにしても良い。本発明は、係る構成によれば、遮蔽シートに保持する複数のフレキシブルフラットケーブルのうち、周波数の比較的高い信号が流れるフレキシブルフラットケーブルから信号高周波成分が漏れ出ても、その信号高周波成分を遮蔽シートからアースへ的確に流すことができ、その結果、当該高周波成分が他のフレキシブルフラットケーブルに流れる信号のみならず、遮蔽シート周辺の回路基板や電子機器に直接、飛び込んで誤動作を生じさせる等のように影響することを防止することができる。
【００２７】
（２−２）他の実施の形態２
また上述した実施の形態においては、折り畳んだ遮蔽シート２５を、第１中央側結束バンド部２５ＡＧや第２中央側結束バンド部２５ＤＧ等によって結束するようにした場合について述べた。しかしながら本発明は、これに限らず、例えば、図１８に示すように、遮蔽シート６０の一方及び他方の縁部に互いに係合可能な鉤爪状等の所定形状の第１折込係合部６０Ａ及び第２折込係合部６０Ｂを突設し、折り畳みの際に当該第１折込係合部６０Ａ及び第２折込係合部６０Ｂを同一の部位重ね箇所に折り込んで係合させることにより、折り畳んだ遮蔽シート６０を結束するようにしても良い。また本発明は、遮蔽シートを折り畳んだ際、幅方向の端部に接着テープを貼着して結束するようにしても良い。
【００２８】
（２−３）他の実施の形態３
さらに上述した実施の形態においては、遮蔽シート２５を全体が略Ｚ字状の外観をなすように折り畳む場合について述べた。しかしながら本発明は、これに限らず、例えば、複数のフレキシブルフラットケーブルの引回経路に応じて、遮蔽シートを全体がＩ字状や略Ｌ字状等の種々の形状の外観をなすように折り畳むようにしても良い。そして本発明は、例えば、遮蔽シートを全体がＩ字状の外観をなすように折り畳む場合、当該遮蔽シート全体を、上述した他の実施の形態１のようにＶ字状、Ｚ字状、Ｗ字状、蛇腹状等のように折り畳むことで、複数の部位重ね箇所を形成して、これら部位重ね箇所に複数のフレキシブルフラットケーブルを個別に保持することができる。また本発明は、例えば、遮蔽シートを全体が略Ｌ字状の外観をなすように折り畳む場合、当該遮蔽シートのシート一端部を、上述した他の実施の形態１のようにＶ字状、Ｚ字状、Ｗ字状、蛇腹状等のように折り畳み、シート他端部を、上述した実施の形態による遮蔽シート２５のシート一端部及びシート他端部の一方と同様に折り畳み、又は第１乃至第４部位一端部２５ＡＡ乃至２５ＤＡ及び第１乃至第４部位他端部２５ＡＢ乃至２５ＤＢの何れかの構成を適宜組み合わせて適用して折り畳むことで、複数の部位重ね箇所を形成して、これら部位重ね箇所に複数のフレキシブルフラットケーブルを個別に保持することができる。さらに本発明は、遮蔽シートをシート一端からシート他端までに亘り一旦は全体がＩ字状の外観をなすように折り畳んだ後、その折り畳んだ状態の遮蔽シート自体を、任意の１又は複数の箇所で折り曲げて、最終的にＬ字状や略Ｚ字状等の種々の外観を成すように形成しても良い。
【００２９】
（２−４）他の実施の形態４
さらに上述した実施の形態においては、本発明によるシート状導体を、図１乃至図１８について上述した遮蔽シート２５に適用するようにした場合について述べた。しかしながら本発明は、これに限らず、一対の樹脂フィルムの間に導電性の金属箔を挟み込み、当該金属箔の一部を接地用として、一対の樹脂フィルムの端部から突出させて形成された遮蔽シートや、導電性金属メッシュ、複数本の導体が埋設される樹脂フィルム等のシート状導体、またコンピュータや表示装置、ゲーム機、エアーコンディショナ、冷蔵庫等の種々の電子機器に設けられるシート状導体等のように、この他種々の構成、及び種々の装置に設けられるシート状導体に広く適用することができる。
【００３０】
（２−５）他の実施の形態５
さらに上述した実施の形態においては、本発明による画像形成装置を、図１乃至図１８について上述したプリンタ１に適用するようにした場合について述べた。しかしながら本発明は、これに限らず、カラー電子写真方式のプリンタやＭＦＰ（Multi-Function  Peripheral）、ファクシミリ、複合機、複写機等のように、この他種々の構成の画像形成装置に広く適用することができる。
【００３１】
（２−６）他の実施の形態６
さらに上述した実施の形態においては、複数の前記部位が順に重なるように折り畳まれて、複数の前記フレキシブルフラットケーブルを保持した状態に結束する結束部として、図１乃至図１８について上述した第１中央側結束バンド部２５ＡＧ、第２中央側結束バンド部２５ＤＧ及び他端側結束バンド部２５ＡＦを適用するようにした場合について述べた。しかしながら本発明は、これに限らず、外付けの結束バンドや、他の実施の形態２で説明した第１折込係合部６０Ａ及び第２折込係合部６０Ｂ、接着テープ等のように、この他種々の結束部を広く適用することができる。因みに、本発明は、遮蔽シート２５において第４部位中央部２５ＤＣに、上述した第２中央側結束バンド部２５ＤＧに換えて、第１部位他端部２５ＡＢや第１部位中央部２５ＡＣに突設された他端側結束バンド部２５ＡＦや第１中央側結束バンド部２５ＡＧと同様構成の結束バンド部を突設し、上述した一対のバンド挿通孔部２５ＤＨ、２５ＤＪに換えて、当該第１部位他端部２５ＡＢや第１部位中央部２５ＡＣに穿設された他端側バンド係合孔部２５ＡＨや中央側バンド係合孔部２５ＡＪと同様構成のバンド係合孔部を穿設するようにしても良い。また本発明は、遮蔽シート２５において第１部位他端部２５ＡＢや第１部位中央部２５ＡＣに、上述した他端側結束バンド部２５ＡＦや第１中央側結束バンド部２５ＡＧに換えて、第４部位中央部２５ＤＣに突設された第２中央側結束バンド部２５ＤＧと同様構成の結束バンド部を突設し、上述した他端側バンド係合孔部２５ＡＨや中央側バンド係合孔部２５ＡＪに換えて、当該他端側結束バンド部２５ＡＦに穿設された一対のバンド挿通孔部２５ＤＨ、２５ＤＪと同様構成のバンド挿通孔部を穿設するようにしても良い。
【産業上の利用可能性】
【００３２】
本発明は、少なくとも２本以上のフレキシブルフラットケーブルを重ねて引き回すような配線に用いられるシート状導体と、当該シート状導体が設けられるプリンタ、ＭＦＰ、ファクシミリ、複合機、複写機等の画像形成装置に利用することができる。
【符号の説明】
【００３３】
１……プリンタ、６……主制御基板、１１……スキャナ制御基板、１２……スキャナヘッド基板、１３……パネル制御基板、２０……スキャナ基板用フラットケーブル、２１……ヘッド基板用フラットケーブル、２２……パネル基板用フラットケーブル、２５、４０、４６、５０、５５……遮蔽シート、２５Ａ……第１部位、２５ＡＦ……他端側結束バンド部、２５ＡＧ……第１中央側結束バンド部、２５Ｂ……第２部位、２５Ｃ……第３部位、２５Ｄ……第４部位、２５ＤＧ……第２中央側結束バンド部、４１乃至４５、４７、４８、５１乃至５４、５６、５７……フレキシブルフラットケーブル。
【図１】
0006349251.tif 000002
【図２】
0006349251.tif 000003
【図３】
0006349251.tif 000004
【図４】
0006349251.tif 000005
【図５】
0006349251.tif 000006
【図６】
0006349251.tif 000007
【図７】
0006349251.tif 000008
【図８】
0006349251.tif 000009
【図９】
0006349251.tif 000010
【図１０】
0006349251.tif 000011
【図１１】
0006349251.tif 000012
【図１２】
0006349251.tif 000013
【図１３】
0006349251.tif 000014
【図１４】
0006349251.tif 000015
【図１５】
0006349251.tif 000016
【図１６】
0006349251.tif 000017
【図１７】
0006349251.tif 000018
【図１８】
0006349251.tif 000019